(57)【要約】【課題】  ２種類の特賞状態が重複して発生可能な遊技機が管理対象であった場合でも、遊技機の稼動データの管理を的確に行うこと。【解決手段】  パチンコ遊技機１は、互いに異なる内容の第１及び第２特賞条件が成立した各場合にそれぞれ独立した形態の第１種特賞状態及び第２種特賞状態に所定期間ずつ切り替わり、第１特賞条件及び第２特賞条件が同時に成立したときには、第１の特賞状態及び第２の特賞状態を重複発生させる。管理コンピュータ１６は、パチンコ遊技機１において第１種特賞状態及び第２種特賞状態が重複発生している期間を検出し、第１種及び第２種特賞状態がそれぞれ単独発生している期間の稼動データを、前記重複発生期間の検出結果を利用して集計すると共に、第１種特賞状態及び第２種特賞状態が重複発生している期間の稼動データを、前記検出結果を利用して集計する。【選択図】  図１
2005102805.tif 000002
【特許請求の範囲】
【請求項１】
互いに異なる内容の第１特賞条件及び第２特賞条件が成立した各場合にそれぞれ独立した形態の第１の特賞状態及び第２の特賞状態を発生すると共に、第１の特賞状態が発生しているときに前記第２特賞条件が成立した場合は第１の特賞状態及び第２の特賞状態を重複発生させる構成とされ、前記第１の特賞状態及び第２の特賞状態にある各期間に第１特賞信号及び第２特賞信号をそれぞれ出力する遊技機についての稼動データを管理対象とした遊技場用管理システムにおいて、
前記第１特賞信号及び第２特賞信号に基づいて前記第１の特賞状態及び第２の特賞状態が重複して発生している期間を検出する検出手段と、
前記遊技機において前記第１の特賞状態が単独発生している期間の稼動データを前記第１特賞信号及び前記検出手段の検出結果を利用して集計する第１集計手段と、
前記遊技機において前記第２の特賞状態が単独発生している期間の稼動データを前記第２特賞信号及び前記検出手段の検出結果を利用して集計する第２集計手段と、
前記遊技機において前記第１の特賞状態及び第２の特賞状態が重複発生している期間の稼動データを前記検出手段の検出結果を利用して集計する第３集計手段と
を備えたことを特徴とする遊技場用管理システム。
【請求項２】
前記第３集計手段による集計結果を、前記第１集計手段及び第２集計手段による各集計結果に基づいて比例按分する按分手段を備えたことを特徴とする請求項１記載の遊技場用管理システム。
【発明の詳細な説明】
【技術分野】
【０００１】
本発明は、互いに異なる内容の第１特賞条件及び第２特賞条件が成立した各場合にそれぞれ独立した形態の第１の特賞状態及び第２の特賞状態に所定期間ずつ切り替わる遊技機、特には、第１特賞条件及び第２特賞条件が同時に成立したときには第１の特賞状態及び第２の特賞状態を重複発生させる構成とされた遊技機についての稼動データを管理対象とした遊技場用管理システムに関する。
【背景技術】
【０００２】
例えばパチンコ遊技機においては、所定の特賞条件が成立したときに入賞率を通常時より大幅に高めた特賞状態（大当たり状態に相当）を所定期間だけ保持する構成のものが一般的になっている。従来では、この種のパチンコ遊技機についての稼動データを管理するための遊技場用管理システムとして、パチンコ遊技機が特賞状態にある期間の打込パチンコ玉数を集計して出力するものが提供されている（例えば特許文献１参照）。
【０００３】
また、近年では、特許文献２及び特許文献３などに見られるように、スタート入賞口へのパチンコ玉の入賞に応じて行われる抽選動作の結果が当たりであった場合に特賞状態（以下、これを第１種特賞状態と呼ぶ）を呈する第１種パチンコ遊技機（所謂セブン機）と、始動チャッカーへのパチンコ玉の入賞により羽根が短時間だけ開き、その中にあるＶゾーンにパチンコ玉が入賞したときに特賞状態（以下、これを第２種特賞状態と呼ぶ）を呈する第２種パチンコ遊技機（所謂ハネモノ）とを融合した形態のパチンコ遊技機が提案されている。
【特許文献１】特開２００１−１９０８１２号公報
【特許文献２】特開２０００−３３１４１号公報
【特許文献３】特開２００３−６２２１５号公報
【発明の開示】
【発明が解決しようとする課題】
【０００４】
従来の遊技場用管理システムでは、第１種パチンコ遊技機と第２種パチンコ遊技機とを融合した新しい形態のパチンコ遊技機、つまり、２種類の特賞状態が同時に発生可能なパチンコ遊技機を管理対象とすることについて何も考慮されていない。従って、例えば、遊技に対する興趣の向上を図るために第１種特賞状態と第２種特賞状態とが重複発生する形態とされた場合には、第１種特賞状態或いは第２種特賞状態が単独発生している期間の各稼動データと、それら特賞状態が重複発生している期間の稼動データとの間にどの程度の差があるのかを全く把握できなくなるなど、パチンコ遊技機の稼動データの管理を的確に行うことが困難になるという問題点があった。
【０００５】
本発明は上記事情に鑑みてなされたものであり、その目的は、２種類の特賞状態が重複して発生可能な遊技機が管理対象であった場合でも、遊技機の稼動データの管理を的確に行い得るようになる遊技場用管理システムを提供することにある。
【課題を解決するための手段】
【０００６】
請求項１記載の発明は、上記目的を達成するために、互いに異なる内容の第１特賞条件及び第２特賞条件が成立した各場合にそれぞれ独立した形態の第１の特賞状態及び第２の特賞状態を発生すると共に、第１の特賞状態が発生しているときに前記第２特賞条件が成立した場合は第１の特賞状態及び第２の特賞状態を重複発生させる構成とされ、前記第１の特賞状態及び第２の特賞状態にある各期間に第１特賞信号及び第２特賞信号をそれぞれ出力する遊技機についての稼動データを管理対象とした遊技場用管理システムにおいて、
前記第１特賞信号及び第２特賞信号に基づいて前記第１の特賞状態及び第２の特賞状態が重複して発生している期間を検出する検出手段と、
前記遊技機において前記第１の特賞状態が単独発生している期間の稼動データを前記第１特賞信号及び前記検出手段の検出結果を利用して集計する第１集計手段と、
前記遊技機において前記第２の特賞状態が単独発生している期間の稼動データを前記第２特賞信号及び前記検出手段の検出結果を利用して集計する第２集計手段と、
前記遊技機において前記第１の特賞状態及び第２の特賞状態が重複発生している期間の稼動データを前記検出手段の検出結果を利用して集計する第３集計手段とを備えた構成としたものである。
【０００７】
この場合、請求項２記載の発明のように、前記第３集計手段による集計結果を、前記第１集計手段及び第２集計手段による各集計結果に基づいて比例按分する按分手段を備えた構成としても良い。
【発明の効果】
【０００８】
請求項１記載の発明によれば、遊技機は、第１特賞条件が成立した場合に第１の特賞状態に切り替わり、第２特賞条件が成立したときに第２の特賞状態に切り替わり、さらに、第１の特賞状態が発生しているときに第２特賞条件が成立した場合には、第１の特賞状態及び第２の特賞状態を重複発生させるようになる。この場合、検出手段は、遊技機が第１の特賞状態にある期間及び第２の特賞状態にある各期間にそれぞれ出力される第１特賞信号及び第２特賞信号に基づいて、第１の特賞状態及び第２の特賞状態が重複発生している期間を検出する。
【０００９】
一方、第１集計手段は、遊技機において第１の特賞状態が単独発生している期間の稼動データを、前記第１特賞信号及び前記検出手段の検出結果に基づいて集計する。また、第２集計手段は、遊技機において第２の特賞状態が単独発生している期間の稼動データを、前記第２特賞信号及び前記検出手段の検出結果に基づいて集計する。さらに第３集計手段は、遊技機において第１の特賞状態及び第２の特賞状態が重複発生している期間の稼動データを、前記検出手段の検出結果を利用して集計する。
【００１０】
従って、２種類の特賞状態が重複発生可能な遊技機が管理対象であった場合でも、第１ないし第３集計手段による集計結果に基づいて、２種類の特賞状態が単独発生している期間の各稼動データと、それら特賞状態が重複発生している期間の稼動データとの間にどの程度の差があるのかを容易に把握できるようになるなど、遊技機の稼動データの管理を的確に行い得るようになる。
【００１１】
請求項２記載の発明によれば、第３集計手段による集計結果、つまり、第１及び第２の特賞状態が重複発生している期間の稼動データが、第１集計手段及び第２集計手段による各集計結果に基づいて比例配分されるから、当該重複発生期間の稼動データを、第１の特賞状態の発生に伴う稼動データと第２の特賞状態の発生に伴う稼動データとに区分可能となる。この結果、第１の特賞状態に依存した稼動データと第２の特賞状態に依存した稼動データとの比率を容易に把握できるようになる。
【発明を実施するための最良の形態】
【００１２】
以下、本発明パチンコホール用管理システムに適用した一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
【００１３】
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
この場合、センター役物１０は、入賞領域を囲んだ形態の枠状部１０ａの左右両側に常時において当該入賞領域を閉鎖するように配置された一対の羽根１０ｂを備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃ（特定領域に相当）と当該Ｖゾーン１０ｃ以外の部分を占める通常入賞口１０ｄとに区分されており、そのＶゾーン１０ｃをパチンコ玉が通過したときに本発明でいう第２特賞条件が成立する。
【００１４】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２特賞条件が成立することになる。この第２特賞条件が成立した状態では、羽根１０ｂが比較的長い時間ずつ所定回数だけ拡開されるものであり、これに応じて入賞領域への入賞率が通常時より大幅に高められた特賞状態（第２の特賞状態に相当：以下これを第２種特賞状態と呼ぶ）を呈する。尚、上記第２種特賞状態にある期間には、第２スタート入賞口７ａ或いは７ｂにパチンコ玉が入賞した場合でも羽根１０ｂの短時間拡開動作が行われることはない。
【００１５】
一方、図柄表示部１１は、第１スタート入賞口６へのパチンコ玉の入賞に応じて行われる所定確率の抽選動作の結果を表示するためのもので、図２では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が当たりであったときにはその変動終了時点で数字列が「１１１」、「２２２」、…のようなぞろ目図柄（特賞図柄）となるように制御される。
【００１６】
このようにぞろ目図柄が表示された状態が本発明でいう第１特賞条件が成立した状態に相当する。そして、第１特賞条件が成立したときには、大型入賞口８の電動役物８ａ（アタッカー）が予め決められたモードにて所定期間だけ開放され、以て当該入賞口８への入賞率が極端に高められた特賞状態（第１の特賞状態に相当：以下これを第１種特賞状態と呼ぶ）を呈するものである。
この場合、本実施例におけるパチンコ遊技機１は、第１特賞条件及び第２特賞条件が同時に成立したときには第１種特賞状態及び第２種特賞状態を重複発生させる構成となっている。
【００１７】
尚、第１スタート入賞口６へのパチンコ玉の入賞が、図柄表示部１１の変動表示期間及び第１種特賞状態にある期間に発生した各場合には、その入賞に応じた抽選結果が一時的に記憶されると共に、このように記憶された抽選結果の表示動作が図柄表示部１１の変動表示或いは特賞状態の終了を待って行われる構成となっている。また、抽選結果の一時的な記憶数（所謂保留玉数）は所定の上限値（例えば「４」）に制限されており、このような保留玉数を表示するために、図柄表示部１１の上方に発光ダイオードを利用した保留玉表示部１１ａが設けられている。
【００１８】
また、パチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種特賞状態及び第２種特賞状態にある各期間に第１特賞信号及び第２特賞信号をそれぞれ出力する構成となっている。
【００１９】
ここで、本実施例のパチンコ遊技機１は、第１種特賞状態にある期間中を通じて第１特賞信号を継続的に出力すると共に、第２種特賞状態にある期間中を通じて第２特賞信号を継続的に出力する構成となっている。つまり、図３には、パチンコ遊技機１において、第１種特賞状態にある期間中に第２種特賞状態が２回連続して発生し、且つ２回目の第２種特賞状態にある期間の途中で第１種特賞状態が終了した場合における第１特賞信号及び第２特賞信号の出力タイミングが例示されている。この図３から理解できるように、第１及び第２特賞信号は、それぞれパチンコ遊技機１が第１種特賞状態及び第２種特賞状態にある各期間を通じて出力されるものであり、従って、第１種特賞状態及び第２種特賞状態が重複発生している期間（図３にＴ２、Ｔ４で示す期間）には第１特賞信号及び第２特賞信号が同時に出力されることになる。
【００２０】
さて、図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述した第１特賞信号、第２特賞信号、第１スタート信号、第２スタート信号、セーフ玉数信号、アウト玉数信号などが出力される。
【００２１】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この台間玉貸機１２には、例えば液晶パネルより成る入力機能付きの表示パネル１２ｂが斜め前方側（手前側）へ突出した状態で設けられており、この表示パネル１２ｂにより種々のデータを表示できるようになっている。また、表示パネル１２ｂの画像表示面には、マトリクス型に構成された透明状タッチパネルスイッチが設けられており、これを通じて種々の入力操作を行い得る構成となっている。尚、各台間玉貸機１２から入出力装置１４には、プリペイドカードによる売上を示す売上信号などが出力される。
【００２２】
呼出ランプユニット１３は、複数の表示ランプ１３ａ、例えば液晶パネルより成る表示部１３ｂ、呼出ボタン１３ｃなどを備えた周知構成のもので、呼出ボタン１３ｃの操作に伴う呼び出し状態の表示機能、対応するパチンコ遊技機１で発生した特賞状態などを表示する機能、パチンコ遊技機１での稼動データ（特賞発生回数など）を表示する機能、パチンコ遊技機１及び台間玉貸機１２のためのデータ入出力インタフェースの機能などを備えている。
【００２３】
入出力装置１４は、店内ＬＡＮ１５に接続されており、この店内ＬＡＮ１５には、パチンコホールの管理事務所内に設置された管理コンピュータ１６（第１集計手段、第２集計手段、第３集計手段、検出手段に相当）が接続されている。また、図示しないが、店内ＬＡＮ１５には、景品交換カウンタに設置されたＰＯＳ端末及び島端に設置されたパチンコ玉計数機なども接続される。
【００２４】
管理コンピュータ１６は、パチンコ遊技機１及び台間玉貸機１２から出力される種々の信号（アウト玉数信号、セーフ玉数信号、第１スタート信号、第２スタート信号、第１特賞信号、第２特賞信号、売上信号など）に基づいて、パチンコ遊技機１についての稼動データ（アウト玉数、セーフ玉数、差玉数、稼動率、出玉率、ベース、センター役物１０及び図柄表示部１１の各スタート回数、第１種特賞状態及び第２種特賞状態の各発生回数など）、並びに台間玉貸機１２についての貸出高データ（売上金額、割数など）を集計して格納する機能を備えた構成となっている。
【００２５】
図４〜図８には、管理コンピュータ１６による制御内容のうち、本発明の要旨に関連したデータ集計機能に関係した部分が示され、また、図８及び図９には、管理コンピュータ１６による集計データのうち、１台のパチンコ遊技機１についての特賞履歴データ及び累計稼動データを帳票出力する際のフォーマット例が示されており、以下これらについて説明する。尚、以下の説明で使用する略号の意味は下記の通りである。
【００２６】
１Ｓ：第１スタート回数（図柄表示部１１の図柄変動動作の実行回数）、
２Ｓ：第２スタート回数（第２スタート入賞口７ａ或いは７ｂへのパチンコ玉の入賞に応じた羽根１０ｂの短時間拡開動作の回数）、
１Ｔ：第１種特賞回数（第１種特賞状態の発生回数）、
２Ｔ：第２種特賞回数（第２種特賞状態の発生回数）、
１ＴＯ：第１種特賞中アウト（第１種特賞状態中のアウト玉数）、
２ＴＯ：第２種特賞中アウト（第２種特賞状態中のアウト玉数）、
ＷＴＯ：重複特賞中アウト（第１種特賞状態及び第２種特賞状態の重複発生期間中のアウト玉数）
１ＴＹ：第１種特賞出玉（第１種特賞状態中の差玉数）、
２ＴＹ：第２種特賞出玉（第２種特賞状態中の差玉数）、
ＷＴＹ：重複特賞中出玉（第１種特賞状態及び第２種特賞状態の重複発生期間中の差玉数）、
ＢＯ：特賞間アウト（特賞状態が発生するまでの期間のアウト玉数）、
ＴＳ：特賞中セーフ（少なくとも一方の特賞状態が発生している期間中のセーフ玉数）、
１ＴＳ：第１種特賞中セーフ（第１種特賞状態が単独発生している期間中のセーフ玉数）、
２ＴＳ：第２種特賞中セーフ（第２種特賞状態が単独発生している期間中のセーフ玉数）、
ＷＴＳ：重複特賞中セーフ（第１種特賞状態及び第２種特賞状態の重複発生期間中のセーフ玉数）
ＷＴ：重複特賞発生回数（第１種特賞状態及び第２種特賞状態が重複して発生した回数）。
【００２７】
また、管理コンピュータ１６が集計する特賞履歴データは、図８に示すように、第１スタート回数１Ｓ、第２スタート回数２Ｓ、第１種特賞中アウト１ＴＯ、第２種特賞中アウト２ＴＯ、重複特賞中アウトＷＴＯ、第１種特賞出玉１ＴＹ、第２種特賞出玉２ＴＹ、重複特賞中出玉ＷＴＹ、特賞間アウトＢＯ、特賞中セーフＴＳを組み合わせたデータであり、図８の例では、パチンコ遊技機１の台番号と対応付けた状態で、レコード番号「１」から「７」までの７組の特賞履歴データがそのレコード番号順に並べられた状態が示されている。
【００２８】
この図８において、レコード番号「１」〜「７」に対応したデータは、それぞれ以下のようなケースで出力される特賞履歴データを示すものである。
レコード番号「１」…第２種特賞状態が重複発生することがなかった第１種特賞状態についての特賞履歴データ（但し、第２種特賞状態に関連した第２スタート回数２Ｓも参考データとして含まれる）、
レコード番号「２」…第１種特賞状態が重複発生することがなかった第２種特賞状態についての特賞履歴データ（但し、第１種特賞状態に関連した第１スタート回数１Ｓも参考データとして含まれる）、
レコード番号「３」…第１種特賞状態発生後に第２種特賞状態が重複発生するまでの期間（図３の期間Ｔ１）における第１種特賞状態についての特賞履歴データ（但し、第２種特賞状態に関連した第２スタート回数２Ｓも参考データとして含まれる）、
レコード番号「４」…第１種特賞状態及び第２種特賞状態が重複発生している期間（図３の期間Ｔ２）における特賞履歴データ、
レコード番号「５」…第１種特賞状態及び第２種特賞状態が重複発生した状態から第２種特賞状態のみが終了した期間（図３の期間Ｔ３）における第１種特賞状態についての特賞履歴データ、
レコード番号「６」…第１種特賞状態及び第２種特賞状態が重複発生している期間（図３の期間Ｔ４）における特賞履歴データ、
レコード番号「７」…第１種特賞状態及び第２種特賞状態が重複発生した状態から第１種特賞状態のみが終了した期間（図３の期間Ｔ５）における第２種特賞状態についての特賞履歴データ。
【００２９】
さらに、管理コンピュータ１６が集計する累計稼動データは、当日の営業開始時点からの稼動データをパチンコ遊技機１毎に累計したデータであり、図９に示すように、アウト玉数、セーフ玉数、第１スタート回数１Ｓ、第２スタート回数２Ｓ、第１種特賞回数１Ｔ、第２種特賞回数２Ｔ、第１種特賞中アウト１ＴＯ、第２種特賞中アウト２ＴＯ、第１種特賞中セーフ１ＴＳ、第２種特賞中セーフ２ＴＳ、重複特賞中アウトＷＴＯ、重複特賞中セーフＷＴＳ、重複特賞発生回数ＷＴの各累計値を組み合わせたデータである。
【００３０】
図４には、管理コンピュータ１６による稼動データの集計処理ルーチンの内容が示されている。この図４において、管理コンピュータ１６は、第１特賞信号及び第２特賞信号の各入力の有無を判断するステップＡ１、Ａ３、後述する重複フラグがＯＮか否かを判断するステップＡ５、第１スタート信号及び第２スタート信号の各入力の有無を判断するステップＡ７、Ａ９を順次実行するという待機ループを形成する。
【００３１】
この待機ループ形成状態から第１特賞信号が入力されたとき（ステップＡ１で「ＹＥＳ」）には、図５に具体的内容を示す第１特賞信号入力時処理ルーチンＡ２を実行した後に当該待機ループへ戻る。
第１特賞信号入力時処理ルーチンＡ２では、図５に示すように、まず、第１種特賞回数１Ｔを「１」だけインクリメントし（ステップＢ１）、この後に前回の特賞終了時点から現在時点までの第１スタート回数１Ｓ、第２スタート回数２Ｓ（これらは後述の説明から明らかなように第１スタート信号及び第２スタート信号の各入力毎にインクリメントされるデータである）及び特賞間アウトＢＯ（これは第１及び第２特賞信号の非入力期間におけるアウト玉数信号に基づいて別途集計されるデータである）を特賞履歴データとして記録する（ステップＢ２）。尚、第１スタート回数１Ｓ、第２スタート回数２Ｓ及び特賞間アウトＢＯは、上記ステップＢ２の実行に伴い初期化される構成となっている。
【００３２】
この後には、第１特賞信号の入力が終了したか否かを判断し（ステップＢ３）、その入力が終了していないときには第２特賞信号の入力の有無を判断する（ステップＢ４）。これらステップＢ３及びＢ４の何れにおいても「ＮＯ」と判断される期間には、第１種特賞中アウト１ＴＯ、第１種特賞出玉１ＴＹを集計するステップＢ５及び第２スタート信号の入力の有無を判断するステップＢ６を反復実行する。このとき、当該ステップＢ６で「ＹＥＳ」と判断したときには第２スタート回数２Ｓを「１」だけインクリメントする（ステップＢ７）。
【００３３】
第１特賞信号の入力が終了していない状態で第２特賞信号が入力されたとき（ステップＢ４で「ＹＥＳ」）、つまり、第１種特賞状態及び第２種特賞状態が重複発生したときには、第２種特賞回数２Ｔを「１」だけインクリメントするステップＢ８、ステップＢ２で記録した特賞履歴データの次のレコードに当該時点での第２スタート回数２Ｓを記録するステップＢ９、重複フラグをＯＮさせるステップＢ１０を順次実行した後にステップＢ１１へ移行する。また、第２特賞信号が入力されることなく第１特賞信号の入力が終了したとき（ステップＢ３で「ＹＥＳ」）、つまり、第１種特賞状態が第２種特賞状態の重複発生を伴うことなく終了したときにも、上記ステップＢ１１へ移行する。
【００３４】
このステップＢ１１では、ステップＢ５での第１種特賞中アウト１ＴＯ、第１種特賞出玉１ＴＹの最終的な集計結果、並びに特賞中セーフＴＳ（これは第１特賞信号の入力期間におけるセーフ玉数信号に基づいて別途集計されるデータである）を、前記ステップＣ２で記録した特賞履歴データ中に追加記録するものであり、その記録が済んだ後にリターンする。
【００３５】
要するに、第１特賞信号入力時処理ルーチンＡ２は、第１特賞信号の入力に応じて開始され、その後に当該第１特賞信号の入力が終了するか、若しくは第２特賞信号の入力が開始するまでの期間だけ継続されるものであり、その開始に応じて第１種特賞状態の発生回数を示す第１種特賞回数１Ｔが「１」だけインクリメントされる。この第１特賞信号入力時処理ルーチンＡ２の開始後には、前回の特賞状態終了後から第１種特賞状態が発生するまでの間の第１スタート回数１Ｓ及び第２スタート回数２Ｓと特賞間アウトＢＯが特賞履歴データとして記録される。
【００３６】
第１特賞信号入力時処理ルーチンＡ２の実行中に第２特賞信号が入力されたとき（第１種特賞状態及び第２種特賞状態が重複発生したとき）には、第２種特賞状態の発生回数を示す第２種特賞回数２Ｔが「１」だけインクリメントされる。また、このときには、上記のように記録された特賞履歴データの次のレコードに当該時点での第２スタート回数２Ｓが記憶されると共に、重複フラグがＯＮされる。さらに、第１特賞信号入力時処理ルーチンＡ２では、第１特賞信号が入力開始されてから入力終了するまでの期間における第１種特賞中アウト１ＴＯ、第１種特賞出玉１ＴＹ、特賞中セーフＴＳが、上記のように記録された特賞履歴データ中に追加記録されると共に、第２スタート回数２Ｓをインクリメントする処理が行われる。
【００３７】
図４に戻って、ステップＡ１、Ａ３、Ａ５、Ａ７、Ａ９を順次実行する前記待機ループ形成状態から第２特賞信号が入力されたとき（ステップＡ３で「ＹＥＳ」）には、図６に具体的内容を示す第２特賞信号入力時処理ルーチンＡ４を実行した後に当該待機ループへ戻る。
第２特賞信号入力時処理ルーチンＡ４では、図６に示すように、まず、第２種特賞回数２Ｔを「１」だけインクリメントし（ステップＣ１）、この後に前回の特賞終了時点から現在時点までの第１スタート回数１Ｓ、第２スタート回数２Ｓ及び特賞間アウトＢＯを特賞履歴データとして記録する（ステップＣ２）。尚、第１スタート回数１Ｓ、第２スタート回数２Ｓ及び特賞間アウトＢＯは、上記ステップＣ２の実行に伴い初期化される構成となっている。
【００３８】
この後には、第１特賞信号の入力が終了したか否かを判断し（ステップＣ３）、その入力が終了していないときには第１特賞信号の入力の有無を判断する（ステップＣ４）。これらステップＣ３及びＣ４の何れにおいても「ＮＯ」と判断される期間には、第２種特賞中アウト２ＴＯ、第２種特賞出玉２ＴＹを集計するステップＣ５及び第１スタート信号の入力の有無を判断するステップＣ６を反復実行する。このとき、当該ステップＣ６で「ＹＥＳ」と判断したときには第１スタート回数１Ｓを「１」だけインクリメントする（ステップＣ７）。
【００３９】
第２特賞信号の入力が終了していない状態で第１特賞信号が入力されたとき（ステップＣ４で「ＹＥＳ」）、つまり、第１種特賞状態及び第２種特賞状態が重複発生したときには、第１種特賞回数１Ｔを「１」だけインクリメントするステップＣ８、ステップＣ２で記録した特賞履歴データの次のレコードに当該時点での第１スタート回数１Ｓを記録するステップＣ９、重複フラグをＯＮさせるステップＣ１０を順次実行した後にステップＣ１１へ移行する。また、第１特賞信号が入力されることなく第２特賞信号の入力が終了したとき（ステップＣ３で「ＹＥＳ」）、つまり、第２種特賞状態が第１種特賞状態の重複発生を伴うことなく終了したときにも、上記ステップＣ１１へ移行する。
【００４０】
このステップＣ１１では、ステップＣ５での第２種特賞中アウト２ＴＯ、第２種特賞出玉２ＴＹの最終的な集計結果、並びに特賞中セーフＴＳを特賞履歴データとして追加記録するものであり、その記録が済んだ後にリターンする。
要するに、第２特賞信号入力時処理ルーチンＡ４は、第２特賞信号の入力に応じて開始され、その後に当該第２特賞信号の入力が終了するか、若しくは第１特賞信号の入力が開始するまでの期間だけ継続されるものであり、その開始に応じて第２種特賞状態の発生回数を示す第２種特賞回数２Ｔが「１」だけインクリメントされる。この第２特賞信号入力時処理ルーチンＡ４の開始後には、前回の特賞状態終了後から第２種特賞状態が発生するまでの間の第１スタート回数１Ｓ及び第２スタート回数２Ｓと特賞間アウトＢＯが特賞履歴データとして記録される。
【００４１】
第２特賞信号入力時処理ルーチンＡ２の実行中に第１特賞信号が入力されたとき（第１種特賞状態及び第２種特賞状態が重複発生したとき）には、第１種特賞状態の発生回数を示す第１種特賞回数１Ｔが「１」だけインクリメントされる。また、このときには、上記のように記録された特賞履歴データの次のレコードに当該時点での第１スタート回数１Ｓが記憶されると共に、重複フラグがＯＮされる。さらに、第２特賞信号入力時処理ルーチンＡ４では、第２特賞信号が入力開始されてから入力終了するまでの期間における第２種特賞中アウト２ＴＯ、第２種特賞出玉２ＴＹ、特賞中セーフＴＳが、上記のように記録された特賞履歴データ中に追加記録されると共に、第１スタート回数１Ｓをインクリメントする処理が行われる。
【００４２】
図４に戻って、ステップＡ１、Ａ３、Ａ５、Ａ７、Ａ９を順次実行する待機ループの実行状態で重複フラグがＯＮと判断されたとき（ステップＡ５で「ＹＥＳ」）には、図７に具体的内容を示す重複期間処理ルーチンＡ６を実行した後に当該待機ループへ戻る。
重複期間処理ルーチンＡ６では、図７に示すように、まず、第１特賞信号の入力が終了したか否かを判断し（ステップＤ１）、その入力が終了していないときには、第２特賞信号の入力が終了したか否かを判断する（ステップＤ２）。
【００４３】
第１特賞信号及び第２特賞信号が双方とも入力終了していない状態では、重複特賞中アウトＷＴＯ、重複特賞中出玉ＷＴＹを集計するステップＤ３を実行した後にステップＤ１へ戻る。第１特賞信号或いは第２特賞信号の入力が終了したとき（ステップＤ１、Ｄ２の何れかで「ＹＥＳ」）には、ステップＤ３での重複特賞中アウトＷＴＯ、重複特賞中出玉ＷＴＹの最終的な集計結果、並びに特賞中セーフＴＳを特賞履歴データとして記録する（ステップＤ４）。
【００４４】
このステップＤ４の実行後には、上記のように記録された特賞履歴データの次のレコード中の「第１スタート回数１Ｓ」、「第２スタート回数２Ｓ」の欄にハイフン「‐」を記録するステップＤ５、重複フラグをＯＦＦに戻すステップＤ６を順次実行した後に前記待機ループへ戻る。
【００４５】
要するに、重複期間処理ルーチンＡ６は、図５に示すステップＢ１０或いは図６に示すステップＣ１０において重複フラグがＯＮされた状態にあるとき、つまり、第１種特賞状態及び第２種特賞状態が重複発生したときに開始され、その後に第１特賞信号及び第２特賞信号の何れか一方の入力が終了するまで（特賞の重複発生状態が解消するまで）の期間だけ継続されるものであり、第１種特賞状態及び第２種特賞状態が重複発生している期間には、重複特賞中アウトＷＴＯ、重複特賞中出玉ＷＴＹを集計する処理が行われる。また、第１種特賞状態及び第２種特賞状態が重複発生した状態が解除されたときには、上記重複特賞中アウトＷＴＯ、重複特賞中出玉ＷＴＹの集計結果及び特賞中セーフＴＳが特賞履歴データとして記録されると共に、当該特賞履歴データの次のレコード中の「第１スタート回数１Ｓ」、「第２スタート回数２Ｓ」の欄にハイフン「‐」が記録され、さらに、重複フラグがＯＦＦに戻される。
【００４６】
図４に戻って、ステップＡ１、Ａ３、Ａ５、Ａ７、Ａ９を順次実行する待機ループの実行状態で第１スタート信号が入力されたとき（ステップＡ７で「ＹＥＳ」）には、第１スタータ回数１Ｓを「１」だけインクリメントするステップＡ８を実行した後に上記待機ループへ戻る。また、その待機ループの実行状態で第２スタート信号が入力されたとき（ステップＡ９で「ＹＥＳ」）には、第２スタート回数１Ｓを「１」だけインクリメントするステップＡ１０を実行した後に待機ループへ戻る。
【００４７】
要するに、上記図４〜図７のような制御が行われる結果、以下に述べるような特賞履歴データが記録されることになる。
（１）単独で発生した第１種特賞状態が第２種特賞状態の重複発生を伴うことなく終了した場合…
ステップＢ２で記録された第１スタート回数１Ｓ、第２スタート回数２Ｓ、特賞間アウトＢＯと、ステップＢ１１で記録された第１種特賞中アウト１ＴＯ、第１種特賞出玉１ＴＹ、特賞中セーフＴＳとを組み合わせた特賞履歴データ（図８の例では、レコード番号「１」に対応した特賞履歴データ）。
【００４８】
（２）単独で発生した第２種特賞状態が第１種特賞状態の重複発生を伴うことなく終了した場合…
ステップＣ２で記録された第１スタート回数１Ｓ、第２スタート回数２Ｓと特賞間アウトＢＯと、ステップＣ１１で記録された第２種特賞中アウト２ＴＯ、第２種特賞出玉２ＴＹ、特賞中セーフＴＳとを組み合わせた特賞履歴データ（図８の例では、レコード番号「２」に対応した特賞履歴データ）。
【００４９】
（３）第１種特賞状態及び第２種特賞状態が図３のようなタイミングで発生した場合…
（３−１）第１種特賞状態が単独で発生した後に第２種特賞状態が重複発生するまでの期間（図３にＴ１で示す期間）には、ステップＢ２で記録された第１スタート回数１Ｓ、第２スタート回数２Ｓ、特賞間アウトＢＯと、ステップＢ１１で記録された第１種特賞中アウト１ＴＯ、第１種特賞出玉１ＴＹ、特賞中セーフＴＳとを組み合わせた特賞履歴データ（図８の例では、レコード番号「３」に対応した特賞履歴データ）。
【００５０】
（３−２）この後に第１種特賞状態及び第２種特賞状態が重複発生している期間（図３にＴ２、Ｔ４で示す期間）には、ステップＢ９で記録した第２スタート回数２Ｓと、ステップＤ４で記録した重複特賞中アウトＷＴＯ、重複特賞中出玉ＷＴＳ、特賞中セーフとを組み合わせたデータ（図８の例では、レコード番号「４」、「６」に対応した特賞履歴データ）。
【００５１】
（３−３）上記のように第１種特賞状態及び第２種特賞状態が重複発生した状態から第２種特賞状態のみが終了し、その後に第２種特賞状態が再発生するまでの期間（図３にＴ３で示す期間）には、ステップＢ１１で記録された第１種特賞中アウト１ＴＯ、第１種特賞出玉１ＴＹ、特賞中セーフＴＳを組み合わせた特賞履歴データ（図８の例では、レコード番号「５」に対応した特賞履歴データ）。
【００５２】
（３−４）第１種特賞状態及び第２種特賞状態が重複発生した状態から第１種特賞状態のみが終了し、その後に第２種特賞状態も終了するまでの期間（図３にＴ５で示す期間）には、ステップＣ１１で記録された第２種特賞中アウト２ＴＯ、第２種特賞出玉２ＴＹ、特賞中セーフＴＳを組み合わせた特賞履歴データ（図８の例では、レコード番号「７」に対応した特賞履歴データ）。
【００５３】
（４）第２種特賞状態が単独で発生した後に第１種特賞状態が重複発生するまでの期間（図３には例示せず）には、ステップＣ２で記録された第１スタート回数１Ｓ、第２スタート回数２Ｓ、特賞間アウトＢＯと、ステップＣ１１で記録された第２種特賞中アウト２ＴＯ、第２種特賞出玉２ＴＹ、特賞中セーフＴＳとを組み合わせた特賞履歴データ（図８には例示せず）。
【００５４】
（５）この後に第１種特賞状態及び第２種特賞状態が重複発生している期間（図３には例示せず）には、ステップＣ９で記録した第１スタート回数１Ｓと、ステップＤ４で記録した重複特賞中アウトＷＴＯ、重複特賞中出玉ＷＴＳ、特賞中セーフとを組み合わせたデータ（図８には例示せず）。
（６）上記のように第１種特賞状態及び第２種特賞状態が重複発生した状態から第２種特賞状態のみが終了し、その後に第１種特賞状態も終了するまでの期間（図３には例示せず）には、ステップＢ１１で記録された第１種特賞中アウト１ＴＯ、第１種特賞出玉１ＴＹ、特賞中セーフＴＳを組み合わせた特賞履歴データ（図８中のレコード番号「５」と同等の特賞履歴データ）。
【００５５】
また、管理コンピュータ１６では、上記のような特賞履歴データとは別に、図９に示すような累計稼動データを集計する構成となっている。
上記した本実施例によれば以下に述べるような作用・効果を奏することができる。即ち、パチンコ遊技機１は、第１特賞条件の成立に応じて第１種特賞状態に切り替わると共に、第２特賞条件の成立に応じて第２の特賞状態に切り替わり、また、それら第１特賞条件及び第２特賞条件が同時に成立したときには、第１種特賞状態及び第２種特賞状態を重複発生させるようになる。
【００５６】
この場合、管理コンピュータ１６は、パチンコ遊技機１が第１種特賞状態にある期間及び第２種特賞状態にある各期間にそれぞれ出力される第１特賞信号及び第２特賞信号に基づいて、第１種特賞状態及び第２種特賞状態が重複発生している期間を検出するようになる。また、管理コンピュータ１６は、パチンコ遊技機１において第１種特賞状態が単独発生している各期間（図３の例ではＴ１、Ｔ３で示す期間）毎の稼動データを、第１特賞信号及び前記重複発生期間の検出結果に基づいて集計すると共に、パチンコ遊技機１において第２種特賞状態が単独発生している各期間（図３の例ではＴ５で示す期間）毎の稼動データを、第２特賞信号及び前記検出結果に基づいて集計する。さらに、管理コンピュータ１６は、パチンコ遊技機１において第１種特賞状態及び第２種特賞状態が重複発生している各期間（図３の例ではＴ２、Ｔ４で示す期間）毎の稼動データを、前記検出結果を利用して集計する。
【００５７】
従って、２種類の第１種及び第２種特賞状態が重複発生可能なパチンコ遊技機１が管理対象であった場合でも、管理コンピュータ１６による集計結果に基づいて、第１種及び第２種特賞状態がそれぞれ単独発生している期間の各稼動データと、それら特賞状態が重複発生している期間の稼動データとの間にどの程度の差があるのかを容易に把握できるようになるなど、パチンコ遊技機１の稼動データの管理を的確に行い得るようになる。
【００５８】
その他、本発明は上記し且つ図面に示した実施例に限定されるものではなく、例えば以下に述べるような変形或いは拡大が可能である。
管理コンピュータ１６に対して、第１種及び第２種特賞状態の重複発生期間の集計結果を、第１種及び第２種特賞状態がそれぞれ単独発生している各期間の集計結果に基づいて比例按分する按分手段の機能を付与する構成としても良い。このような構成を採用した場合には、第１種及び第２種特賞状態の重複発生期間の集計結果を、第１種特賞状態の発生に伴う稼動データと第２種特賞状態の発生に伴う稼動データとに区分可能となる。
【００５９】
具体的には、図３の例において、第１種特賞状態中の差玉数である第１種特賞出玉１ＴＹは、期間Ｔ１及び期間Ｔ３の各差玉数の合計に、期間Ｔ２及びＴ４での差玉数を上述のような比例按分により区分された第１種特賞状態の発生に伴う稼動データを加算することにより得られる。また、図３の例において、第２種特賞状態中の差玉数である第２種特賞出玉２ＴＹは、期間Ｔ５の差玉数に、期間Ｔ２及びＴ４での差玉数を上述のような比例按分により区分された第２種特賞状態の発生に伴う稼動データを加算することにより得られる。このような加算を行うことにより、第１の特賞状態に依存した稼動データと第２の特賞状態に依存した稼動データとの比率を容易に把握できるようになる。
【００６０】
上記実施例では、第１の特賞状態の例として第１種パチンコ遊技機に対応した特賞状態（第１種特賞状態）を挙げると共に、第２の特賞状態の例として第２種パチンコ遊技機に対応した特賞状態（第２種特賞状態）を挙げたが、これに限られるものでない。例えば、第３種パチンコ遊技機（所謂権利物）に設定された特賞状態を第１の特賞状態或いは第２の特賞状態として適用する構成など、種々の組合せが考えられる。
【００６１】
第１種特賞状態に関連した抽選動作を開始させるための第１スタート入賞口６を設けると共に、第２種特賞状態に関連した羽根１０ｂの拡開動作を行わせるための第２スタート入賞口７ａ及び７ｂを設けたパチンコ遊技機１を管理対象としたが、それらを１つのスタート入賞口により兼用した構成（当該スタート入賞口へのパチンコ玉の入賞に応じて、第１種特賞状態のための抽選動作及び第２種特賞状態のための羽根１０ｂの短時間拡開動作が行われる構成）のパチンコ遊技機が管理対象であっても良い。
【００６２】
本発明のシステムによる管理対象の遊技機をスロットマシンとすることも可能である。例えば、第１の特賞状態を所謂集中役（特定小役の抽選確率を高めた状態）、第２の特賞状態を所謂アシストタイム（特定小役を入賞させるための情報を報知する状態）とすることが可能になる。
【図面の簡単な説明】
【００６３】
【図１】本発明の一実施例を示すシステム全体の概略的構成図
【図２】パチンコ遊技機の概略的な正面図
【図３】第１特賞信号及び第２特賞信号の出力パターンを示すタイミングチャート
【図４】管理コンピュータの制御内容を示すフローチャートその１
【図５】管理コンピュータの制御内容を示すフローチャートその２
【図６】管理コンピュータの制御内容を示すフローチャートその３
【図７】管理コンピュータの制御内容を示すフローチャートその４
【図８】特賞履歴データを帳票出力する際のフォーマット例を示す図
【図９】累計稼動データを帳票出力する際のフォーマット例を示す図
【符号の説明】
【００６４】
１はパチンコ遊技機、６は第１スタート入賞口、７ａ、７ｂは第２スタート入賞口、８は大型入賞口、９は複合役物、１０はセンター役物、１０ｂは羽根、１０ｃはＶゾーン、１１は図柄表示部、１６は管理コンピュータ（第１集計手段、第２集計手段、第３集計手段、検出手段）を示す。
【図１】
2005102805.tif 000003
【図２】
2005102805.tif 000004
【図３】
2005102805.tif 000005
【図４】
2005102805.tif 000006
【図５】
2005102805.tif 000007
【図６】
2005102805.tif 000008
【図７】
2005102805.tif 000009
【図８】
2005102805.tif 000010
【図９】
2005102805.tif 000011